(57)【要約】【課題】連続的に捺印しても前後方向および左右方向にブレを生じることなく鮮明な捺印を持続することができる反転式印判を提供する。【解決手段】外枠体１と、この外枠体１にガイドされて弾性部材３の付勢下で上下自在にスライド移動する内枠体２と、外枠体１に枢着される印字体ホルダー４と、前記内枠体内に内蔵されるインキパッド５と、前記内枠体２のスライド移動により前記印字体ホルダー４を反転させる反転機構６を備えた反転式印判であって、印字体ホルダー４の前後方向のブレを防止する前後方向ブレ防止機構と、左右向のブレを防止する左右方向ブレ防止機構を設けた。左右方向ブレ防止機構を、ラック６ｃに設けられた溝６ｄと歯板６ａに設けられた突起６ｅを係合するものとすることが好ましい。【選択図】図１
2019081298.tif 000002
【特許請求の範囲】
【請求項１】
外枠体と、この外枠体にガイドされて弾性部材の付勢下で上下自在にスライド移動する内枠体と、外枠体に枢着される印字体ホルダーと、前記内枠体内に内蔵されるインキパッドと、前記内枠体のスライド移動により前記印字体ホルダーを反転させる反転機構を備えた反転式印判であって、
印字体ホルダーの前後方向のブレを防止する前後方向ブレ防止機構と、左右向のブレを防止する左右方向ブレ防止機構を設けたことを特徴とする反転式印判。
【請求項２】
左右方向ブレ防止機構が、内枠体および印字体ホルダーに設けられた突起と縦溝を係合することにより印字体ホルダーの左右方向のブレを防止するものである請求項１に記載の反転式印判。
【請求項３】
反転機構は内枠体の内壁面に立設したラックと、このラックに歯合する印字体ホルダーの底面に立設した歯板とからなり、左右方向ブレ防止機構が、前記ラックに設けられた溝と前記歯板に設けられた突起を係合することにより印字体ホルダーの左右方向のブレを防止するものである請求項１に記載の反転式印判。
【請求項４】
前後方向ブレ防止機構が、内枠体および印字体ホルダーに設けられた突起と縦溝を係合することにより印字体ホルダーの前後方向のブレを防止するものである請求項１〜３のいずれかに記載の反転式印判。
【請求項５】
前後方向ブレ防止機構が、内枠体の側面の軸方向に設けられた一対の縦溝と、印字体ホルダーに設けられた一対の板状突起を係合するであり、前記縦溝の端部における幅と前記板状突起の幅を同一の長さとすることにより印字体ホルダーの前後方向のブレを防止するものである請求項１〜３のいずれかに記載の反転式印判。
【請求項６】
印字体ホルダーの外周に、インキパッドの収納部を密閉するためのＯリングが取り付けられている請求項１〜５のいずれかに記載の反転式印判。
【請求項７】
左右方向ブレ防止機構と前後方向ブレ防止機構が、内枠体の上部と下部にそれぞれ設けられている請求項１〜６のいずれかに記載の反転式印判。
【発明の詳細な説明】
【技術分野】
【０００１】
本発明は、連続的に捺印しても前後方向および左右方向にブレを生じることなく鮮明な捺印を持続することができる反転式印判に関するものである。
【背景技術】
【０００２】
従来から、印判を下向きに押圧しながら印面を下向きに反転させて捺印を行えるようにした反転式印判が知られている。このような反転式印判は、例えば役所等における書類の受付証明印や工場等における出荷品の品質保証印などとして広く使用に供されているが、使用頻度が高く、かつ手荒な状態で使用されることが多いため印面がガタついて鮮明な捺印ができないという問題があった。
【０００３】
そこで本件出願人は、特許文献１に示されるように、内枠体に形成した隆条部と印字体ホルダーに形成した溝とを係合させて前後方向のブレを抑止する機構を付加した反転式印判を考案し、先に特許出願している。
しかしながら、特許文献１に記載の印判は左右方向のブレを防止することができないため、激しい操作で押印した場合には左右方向のブレを防止できず鮮明な捺印を確保することができないという問題があった。
【０００４】
また、特許文献２に示されるように、インキパッドを内蔵して印字体ホルダーが密閉蓋となる気密室を設けて、吸収体に含浸されたインキの揮発を抑制するようにしたスタンプ印字装置や、特許文献３に示されるように、気密室を高気密に保つようにした印判も提案されている。
しかしながら、特許文献２、３に記載のものは、成型品の材料疲労による印字体ホルダーのガタツキや、成型品の寸法誤差などによって印字体ホルダーが気密室をズレなく塞ぐことができず、気密室が高い気密性を保持できずに、インキパッド中のインキが揮発するという問題があった。
【先行技術文献】
【特許文献】
【０００５】
【特許文献１】特開２０１４−２２３７４７号公報
【特許文献２】特開昭４９−３７７２７号公報
【特許文献３】特開２０１７−１７０７１２号公報
【発明の概要】
【発明が解決しようとする課題】
【０００６】
本発明は上記のような従来の問題点を解決して、連続的に捺印しても前後方向および左右方向にブレを生じることなく鮮明な捺印を持続することができる反転式印判を提供することを目的とするものである。
【課題を解決するための手段】
【０００７】
上記課題を解決するためになされた本発明の反転式印判は、外枠体と、この外枠体にガイドされて弾性部材の付勢下で上下自在にスライド移動する内枠体と、外枠体に枢着される印字体ホルダーと、前記内枠体内に内蔵されるインキパッドと、前記内枠体のスライド移動により前記印字体ホルダーを反転させる反転機構を備えた反転式印判であって、
印字体ホルダーの前後方向のブレを防止する前後方向ブレ防止機構と、左右方向のブレを防止する左右方向ブレ防止機構を設けたことを特徴とするものであり、これを請求項１に係る発明とする。
【０００８】
好ましい実施形態によれば、前記左右方向ブレ防止機構が、内枠体および印字体ホルダーに設けられた突起と縦溝を係合することにより印字体ホルダーの左右方向のブレを防止するものであることが好ましく、これを請求項２に係る発明とする。
【０００９】
また、その他の好ましい実施形態によれば、前記反転機構は内枠体の内壁面に立設したラックと、このラックに歯合する印字体ホルダーの底面に立設した歯板とからなり、左右方向ブレ防止機構が、前記ラックに設けられた溝と前記歯板に設けられた突起を係合することにより印字体ホルダーの左右方向のブレを防止するものであることが好ましく、これを請求項３に係る発明とする。
【００１０】
また、その他の好ましい実施形態によれば、前記前後方向ブレ防止機構が、内枠体および印字体ホルダーに設けられた突起と縦溝を係合することにより印字体ホルダーの前後方向のブレを防止するものであることが好ましく、これを請求項４に係る発明とする。
【００１１】
また、その他の好ましい実施形態によれば、前後方向ブレ防止機構が、内枠体の側面の軸方向に設けられた一対の縦溝と、印字体ホルダーに設けられた一対の板状突起を係合するものであり、前記縦溝の端部における幅と前記板状突起の幅を同一の長さとすることにより印字体ホルダーの前後方向のブレを防止するものであることが好ましく、これを請求項５に係る発明とする。
【００１２】
また、その他の好ましい実施形態によれば、前記印字体ホルダーの外周に、インキパッドの収納部を密閉するためのＯリングが取り付けられているものが好ましく、これを請求項６に係る発明とする。
【００１３】
また、その他の好ましい実施形態によれば、左右方向ブレ防止機構と前後方向ブレ防止機構が、内枠体の上部と下部にそれぞれ設けられているものが好ましく、これを請求項７に係る発明とする。
【発明の効果】
【００１４】
請求項１に係る発明では、印字体ホルダーの前後方向のブレを防止する前後方向ブレ防止機構と、左右向のブレを防止する左右方向ブレ防止機構を設けたので、前後方向および左右方向のブレを確実に防止することができ、工業用用途等の捺印サイクルが速くて手荒な扱いをする場合であってもブレのない鮮明な捺印を保証することができる。
【００１５】
請求項２に係る発明では、前記左右方向ブレ防止機構が、内枠体および印字体ホルダーに設けられた突起と縦溝を係合することにより印字体ホルダーの左右方向のブレを防止するものとしたので、左右方向ブレ防止機構を簡単な構造にすることができる。
【００１６】
請求項３に係る発明では、前記反転機構は内枠体の内壁面に立設したラックと、このラックに歯合する印字体ホルダーの底面に立設した歯板とからなり、左右方向ブレ防止機構が、前記ラックに設けられた溝と前記歯板に設けられた突起を係合することにより印字体ホルダーの左右方向のブレを防止するものとしたので、左右方向ブレ防止機構を反転機構の中に組み込むことができ、極めて簡単な構造にすることができる。
【００１７】
請求項４に係る発明では、前記前後方向ブレ防止機構が、内枠体および印字体ホルダーに設けられた突起と縦溝を係合することにより印字体ホルダーの前後方向のブレを防止するものとしたので、前後方向ブレ防止機構を簡単な構造にすることができる。
【００１８】
請求項５に係る発明では、前後方向ブレ防止機構が、内枠体の側面の軸方向に設けられた一対の縦溝と、印字体ホルダーに設けられた一対の板状突起を係合するであり、前記縦溝の端部における幅と前記板状突起の幅を同一の長さとすることにより印字体ホルダーの前後方向のブレを防止するものとしたので、捺印時および印盤の収納時において、印字体ホルダーを確実に固定することができ、鮮明な捺印を実現することができる。
【００１９】
請求項６に係る発明では、前記印字体ホルダーの外周に、インキパッドの収納部を密閉するためのＯリングが取り付けられているものとしたので、収納部の気密性を保持してインキの蒸発を極力防止することができる。
【００２０】
請求項７に係る発明では、左右方向ブレ防止機構と前後方向ブレ防止機構が、内枠体の上部と下部にそれぞれ設けられているものとしたので、捺印時および印盤の収納時において、印字体ホルダーを正しい位置で確実に固定することができることから、通常時は、上部のブレ抑止機構で収納部を機密性保持してインキの蒸発を極力防ぎ、捺印時は、下部のブレ抑止機構で印字体ホルダーを確実に固定し、鮮明な捺印を実現することができる。
【図面の簡単な説明】
【００２１】
【図１】本発明の実施の形態を示す分解斜視図である。
【図２】本発明の実施の形態を示す正面断面図である。
【図３】本発明の実施の形態を示す側面断面図である。
【図４】外枠体と内枠体を示す斜視図である。
【図５】（ａ）は印字体ホルダーの正面図、（ｂ）は平面図、（ｃ）は側面図である。
【図６】本発明に係る反転式印判の捺印操作の説明図である。
【図７】左右方向ブレ防止機構の一例を示す説明図である。
【図８】前後方向ブレ防止機構の一例を示す説明図である。
【発明を実施するための形態】
【００２２】
以下に、図面を参照しつつ本発明の好ましい実施の形態を示す。
図１は、本発明に係る反転式印判の一例を示す分解斜視図である。図において、１は外枠体、２はこの外枠体１にガイドされてコイルスプリングのような弾性部材３の付勢下で上下自在にスライド移動する内枠体である。また、４は前記外枠体１に枢着される印字体ホルダー、５は前記内枠体２内に内蔵されるインキパッド、６は前記内枠体２のスライド移動により前記印字体ホルダー４を反転させる反転機構であり、以上の構成は反転式印判の基本的な構成である。
【００２３】
本発明では、反転式印判において、前記印字体ホルダー４の前後方向のブレを防止する前後方向ブレ防止機構と、左右向のブレを防止する左右方向ブレ防止機構を設けた点に特徴を有する。このように、前後方向ブレ防止機構と左右方向ブレ防止機構を設けることにより、前後方向のみならず左右方向のブレも確実に防止することができ、ブレのない鮮明な捺印を可能としている。
【００２４】
前記左右方向ブレ防止機構は、図７に示すように、内枠体２および印字体ホルダー４に設けられた突起１２ａと縦溝１２ｂを係合することにより印字体ホルダーの左右方向のブレを防止する構造とすることができる。また、前後方向ブレ防止機構は、図８に示すように、内枠体２および印字体ホルダー４に設けられた突起１２ａと縦溝１２ｂを係合する構造とすることができる。
なお、図７および図８に示すものでは、枠体２に突起１２ａを設け印字体ホルダー４に縦溝１２ｂを設けたものとしたが、この逆であってもよいことは勿論である。
【００２５】
以下に、図１に示した本発明の反転式印判について説明する。
図２は反転式印判の正面断面図、図３は側面断面図、図４は外枠体と内枠体の組み付け状態を示す斜視図である。
前記外枠体１の上端は開口されて蓋体１ａで閉蓋自在となっており、内部には弾性部材３を介して内枠体２がその付勢下で上下方向にスライド移動可能に挿入されている。また、前記内枠体２の上端には、インキパッド５を収納するパッドホルダー７が取り付けられている。なお、このパッドホルダー７の上面は、前記弾性部材３の下端部の受け面部となっている。
また、パッドホルダー７の外周面上端部には突起７ａが設けられており、前記内枠体２の上端縁に設けられた凹部２ａと係合することで両者が位置決め固定される構造となっている。
【００２６】
前記印字体ホルダー４は、ホルダー本体４ａと、その上面に装着される印字体４ｂとからなる。このホルダー本体４ａの両側縁には、軸８を枢支するための軸受部４ｃが垂設されており、この軸８を中心に回転することで印字体ホルダー４が反転自在な構造となっている。また、印字体ホルダー４の外周には、前記インキパッド５の収納部を密閉するためのＯリング９が取り付けられている。
更に、印字体ホルダー４の底面（下面）には、逆Ｖ字状の歯板６ａを立設した盤材６ｂが取り付けられている。前記歯板６ａは反転機構６を構成する要素である。
【００２７】
前記反転機構６は、内枠体２の内壁面に立設したラック６ｃと、このラック６ｃに歯合する印字体ホルダー４の底面に立設した歯板６ａとからなる。即ち、内枠体２が外枠体１内を上下方向にスライド移動すると、前記印字体ホルダー４も同時に上下方向に移動するが、前記歯板６ａがラック６ｃに歯合しているため印字体ホルダー４は軸８を中心にして回転し、印字体４ｂが上端位置では上向きであったのが、下端位置では180度反転して下向きとなり捺印可能な状態となる構造である。
【００２８】
更に、前記ラック６ｃの上部凸部と下部凸部の先端には各々縦方向の溝６ｄ、６dが設けられており、一方、図５に示すように、前記歯板６ａの先端部には突起６ｅが設けられていて、前記溝６ｄと突起６ｅが係合することにより印字体ホルダー４の横ブレを防止する左右方向ブレ防止機構を構成している。
【００２９】
また、図１に示した本発明の反転式印判では、前後方向ブレ防止機構が、内枠体２の側面の軸方向に設けられた一対の縦溝１０と、印字体ホルダー４に設けられた一対の板状突起４dを係合するものであり、前記縦溝１０の上下の端部における幅と前記板状突起４dの幅を同一の長さとすることにより印字体ホルダー４の前後方向のブレを防止する構造となっている。
即ち、印字体ホルダー４はピン８が縦溝１０内を移動することで反転するように構成されているが、図５に示されるように、ピン８の上には板状突起４dが設けられており、この板状突起４dが縦溝１０の上下端部では水平状態となって縦溝内にぴったりと収まるように設計されており、印字体ホルダー４の前後方向へのガタつきを防止する構造となっている。なお、縦溝１０の上下端部の近辺以外は、ピン８の直径に板状突起４ｄの厚み分を加えた幅となるように大きくなっており、印字体ホルダー４の反転動作が支障なく行える構造となっている。
【００３０】
このように、左右方向ブレ防止機構と前後方向ブレ防止機構が、内枠体２の上部と下部にそれぞれ設けられているので、捺印時および印盤の収納時において、印字体ホルダー４を正しい位置で確実に固定することができ、ブレのない鮮明な捺印と、インキの蒸発を極力防ぐことを実現することが可能となる。また、構造的にもシンプルなものとすることができる。
【００３１】
更に、印字体ホルダー５の外周に、インキパッド５の収納部を密閉するためのＯリング８が取り付けられているので、収納部の気密性を保持してインキの蒸発を極力防止することができる。また、インキが強い臭いを発する場合であっても、気密性が高いため臭気漏れを防いで作業環境の劣化を防止することができる。
【００３２】
以上の各部品は、図２および図３に示されるように組み立てられて反転式印判とされる。即ち、内枠体２の上端にはパッドホルダー７が取り付けられ、またその下部には印字体ホルダー４が取り付けられる。なお、印字体ホルダー４の底面（下面）には、逆Ｖ字状の歯板６ａを立設した盤材６ｂが取り付けられている。前記印字体ホルダー４は、軸受部４ｃに軸８が挿入されたうえ、この軸８両端が内枠体２の縦溝１０内に嵌合される。更に、軸８両端は外枠体１の孔１ｂを貫通して、突出端部をピン止め具１１で固定されている。
【００３３】
このように構成した本発明の反転式印判は、図６に示されるように、通常ではパッドホルダー７が弾性部材３により下方向へ弾発されているため、内枠体２も下方向へ下降した状態となっている（左図を参照）。内枠体２の縦溝１０内には軸８が嵌合しているので、内枠体２は軸８と縦溝１０の上端が接するまで下方向へ下降する。この状態では、ラック６ｃに設けられた溝６ｄと歯板６ａに設けられた突起６ｅとが係合しているため印字体ホルダー４の左右方向のブレが防止されることとなる。また、縦溝１０の端部における幅と板状突起４dの幅が同一の長さとなっているので印字体ホルダーの前後方向のブレも防止されることとなる。
更には、前記印字体ホルダー４の外周には、インキパッド５の収納部を密閉するためのＯリング９が取り付けられているので、収納部の気密性を保持してインキの蒸発、および臭気の放出を極力防止することができる。
【００３４】
次いで、捺印するために外枠体１を押し下げると、内枠体２が外枠体内へスライド移動する（中央図を参照）。この過程では、内枠体２の内壁面に立設したラック６ｃと、このラック６ｃに歯合する印字体ホルダー４の底面に立設した歯板６ａとからなる反転機構により、軸８を中心に印字体ホルダー４が反転し、この結果、印字体４ｂが押印可能な状態になる。
【００３５】
次いで、外枠体１を最後まで押し下げると捺印処理が行われる（右図を参照）。内枠体２は軸８と縦溝１０の下端が接するまで上方向へ上昇する。この状態では、ラック６ｃに設けられた溝６ｄと歯板６ａに設けられた突起６ｅとが係合しているため印字体ホルダー４の左右方向のブレが防止されることとなる。また、縦溝１０の端部における幅と板状突起４dの幅が同一の長さとなっているので印字体ホルダーの前後方向のブレも防止されることとなる。
その後は、外枠体１を押し下げるのを止めると、弾性部材３の弾発力により内枠体２が下方向へ下降されて自動的に初期状態に復帰する。
【００３６】
なお、前記インキパッド５に含浸させるインキは、顔料系、染料系、水性系を問わず適宜使用可能である。例えば、コート紙、プラスチックフィルム、アルミニウム、鉄等の難吸収紙や非吸収材に押印するための速乾性インキとしては、速乾性溶剤に着色剤や樹脂等を溶解混合した油性インキ（粘度５０〜５０００mps・s、好ましくは１００〜１０００mps・s）を用いることができる。インキ粘度は、液温25℃に調整されたインキをB型粘度計にて60ｒｐｍで測定した。なお、測定ローターは、ローターの測定上限値を考慮し、適切なローターを選択した。
【００３７】
また、前記インキパッド５としては、例えばトップ層にポリエチレンテレフタレートとポリアミドの混合繊維（８５g/m2、厚み０．４５mm×１枚）と、ベース層にポリエチレンとポリプロピレンの混合繊維（２５０g/m2、厚み３．３mm×３枚）の間にＰＡ系接着剤を介して、５．６mmに圧縮成型した不織布の積層体を用いることができる。
【実施例】
【００３８】
前記した速乾性インキ（粘度５００mps・s）を前記の５．６mmに圧縮成型した不織布の積層体に含浸し組み立てした反転式印判を用いて、捺印荷重５Kg、設置時間０．４秒、捺印サイクル４５秒/回で１００回捺印後、一昼夜放置し、翌日に、再度捺印試験を実施し、この一連の試験サイクルを１０日間繰り返し実施し、５日目の捺印印影、１０日目の捺印印影の評価を行った。得られた断続捺印試験の結果を[表１]に示す。
実施例１の[Ａ１]は、左右方向ブレ防止機構が、内枠体および印字体ホルダーに設けられた突起と縦溝を係合することにより印字体ホルダーの左右方向のブレを防止するもの（図7参照）、[Ａ２]は、左右方向ブレ防止機構が、ラックに設けられた溝と歯板に設けられた突起を係合することにより印字体ホルダーの左右方向のブレを防止するもの（図1参照）、[Ｂ１]は、前後方向ブレ防止機構が、内枠体および印字体ホルダーに設けられた突起と縦溝を係合することにより印字体ホルダーの前後方向のブレを防止するもの（図8参照）、[Ｂ２]は、前後方向ブレ防止機構が、縦溝の端部における幅と板状突起の幅を同一の長さとすることにより印字体ホルダーの前後方向のブレを防止するもの（図1参照）、[Ｃ]は、印字体ホルダーの外周に、インキパッドの収納部を密閉するためのＯリングが取り付けられているもの（図1参照）を示す。
捺印状態を目視確認して、インキパッド内のインキ溶剤が揮発し、捺印印影が読み取れない場合を×、インキパッド内のインキ溶剤が揮発、捺印印影が読み取りにくい場合を△、インキパッド内のインキ溶剤の揮発がなく、捺印印影が鮮明に完全に読み取れた場合を○と評価した。
[表１]の断続捺印試験結果から、実施例のものは溶剤に揮発が抑えられていずれも印面を読み取ることができることが確認できた。一方、比較例のものはブレが発生して印面が読み取れなかった場合があることが判明した。
また、別途捺印サイクルの影響確認試験を行った。前記の断続捺印試験に使用したインクパッド及び反転式印判を用いて捺印荷重5Ｋｇ、設置時間0.4秒で、捺印サイクルを適宜変更して、捺印試験を実施し、初期の捺印印影を評価した。得られた捺印サイクルの影響確認試験の結果を[表２]に示す。
捺印状態を目視検査して、印面ブレにより、捺印印影が読み取れなかった場合を×、印面が多少ブレることにより捺印印影読み取りにくい場合を△、印面のブレがなく捺印印影が鮮明に完全に読み取れた場合を○と評価した。
[表２]の捺印サイクルの影響確認試験結果から、実施例のものはブレの発生が抑えられていずれも印面を読み取ることができることが確認できた。一方、比較例のものはブレが発生して印面が読み取れなかった場合があることが判明した。
【００３９】
【表１】
2019081298.tif 000003
【００４０】
【表２】
2019081298.tif 000004
【符号の説明】
【００４１】
１  外枠体
１ａ  蓋体
１ｂ  孔
２  内枠体
３  弾性部材
４  印字体ホルダー
４ａ  ホルダー本体
４ｂ  印字体
４ｃ  軸受部
４ｄ  板状突起
５  インキパッド
６  反転機構
６ａ  歯板
６ｂ  盤材
６ｃ  ラック
６ｄ  溝
６ｅ  突起
７  パッドホルダー
８  軸
９  Ｏリング
１０  縦溝
１１  ピン止め具
12ａ  突起
12ｂ  縦溝
【図１】
2019081298.tif 000005
【図２】
2019081298.tif 000006
【図３】
2019081298.tif 000007
【図４】
2019081298.tif 000008
【図５】
2019081298.tif 000009
【図６】
2019081298.tif 000010
【図７】
2019081298.tif 000011
【図８】
2019081298.tif 000012